(57)【要約】【課題】エンボス加工されたカードをより適切に送り出すことのできる媒体給送装置を提供する。【解決手段】媒体給送装置は、エンボス加工されたカードを、エンボス部を給送方向と交差する方向に沿った向きで載置可能な媒体載置部と、前記カードのエンボス加工面と接し、回転することにより前記カードを前記媒体載置部から送り出す給送ローラーと、を備え、前記給送ローラーには、前記エンボス部が入り込む凹部が、前記給送方向と交差する方向に沿って形成されている。前記凹部は、前記給送ローラーの外周面において前記給送方向と交差する方向に貫通している。前記凹部の深さは、前記エンボス部の高さ以上である。前記給送ローラーは前記凹部を複数備え、複数の前記凹部は、給送方向のサイズが異なる複数の前記エンボス部に対応して、給送方向のサイズが異なる凹部で構成される。【選択図】図９
2017165574.tif 000002
【特許請求の範囲】
【請求項１】
エンボス加工されたカードを、エンボス部を給送方向と交差する方向に沿った向きで載置可能な媒体載置部と、
前記カードのエンボス加工面と接し、回転することにより前記カードを前記媒体載置部から送り出す給送ローラーと、を備え、
前記給送ローラーには、前記エンボス部が入り込む凹部が、前記給送方向と交差する方向に沿って形成されている、
ことを特徴とする媒体給送装置。
【請求項２】
エンボス加工されたカードを、エンボス部を給送方向と交差する方向に沿った向きで載置可能な媒体載置部と、
前記カードのエンボス加工面と接し、回転することにより前記カードを前記媒体載置部から送り出す給送ローラーと、を備え、
前記給送ローラーには、前記エンボス部が引っ掛かる凹部が、前記給送方向と交差する方向に沿って形成されている、
ことを特徴とする媒体給送装置。
【請求項３】
請求項１または請求項２に記載の媒体給送装置において、前記凹部は、前記給送ローラーの外周面において前記給送方向と交差する方向に貫通している、
ことを特徴とする媒体給送装置。
【請求項４】
請求項１から請求項３のいずれか一項に記載の媒体給送装置において、前記凹部の深さは、前記エンボス部の高さ以上である、
ことを特徴とする媒体給送装置。
【請求項５】
請求項１から請求項４のいずれか一項に記載の媒体給送装置において、前記凹部を複数備え、
複数の前記凹部は、給送方向のサイズが異なる複数の前記エンボス部に対応して、給送方向のサイズが異なる凹部で構成される、
ことを特徴とする媒体給送装置。
【請求項６】
媒体を読み取る読み取り手段と、
前記読み取り手段の側へ媒体を給送する、請求項１から請求項５のいずれか一項に記載の媒体給送装置と、
を備えた画像読取装置。
【発明の詳細な説明】
【技術分野】
【０００１】
本発明は、媒体を給送する媒体給送装置、並びにこれを備えた画像読取装置に関する。
【背景技術】
【０００２】
以下、画像読取装置の一例であるスキャナーを例に説明する。スキャナーには、媒体の一例である原稿を自動送りする給送装置（ＡＤＦ（Auto Document Feeder）とも呼ばれる）が設けられ、複数枚の原稿の自動送りと読み込みとを行える様に構成される場合がある。
【０００３】
その様な装置構成の一例が、特許文献１に示されている。特許文献１記載の用紙搬送装置はイメージスキャナとして構成され、そしてエンボスを有するカードを搬送可能に、且つ、エンボス加工面の画像を読み取り可能に構成されている。
【先行技術文献】
【特許文献】
【０００４】
【特許文献１】特開２０１４−０５１３３８号公報
【発明の概要】
【発明が解決しようとする課題】
【０００５】
特許文献１記載の用紙搬送装置では、カードは給送ローラー（特許文献１において「給紙ローラ１１３」）と分離ローラー（特許文献１において「リタードローラ１１４」）とにより、用紙を載置する載置部（特許文献１において「用紙台１０３」）から送り出される。
【０００６】
しかしながら上述のようなエンボス加工されたカードを送り出す場合、エンボス部分が給送ローラーを通過する際に大きな搬送力が必要となる。この為、分離ローラーを給送ローラーに向けて付勢する付勢力を強める必要があるが、この場合、給送ローラーを駆動するモーターの消費電力が上昇してしまったり、エンボス加工されていない媒体、例えば通常の用紙の場合には逆にダブルフィードを誘発してしまう虞がある。
【０００７】
そこで本発明はこの様な問題に鑑み成されたものであり、その目的は、エンボス加工されたカードをより適切に送り出すことのできる媒体給送装置を提供することにある。
【課題を解決するための手段】
【０００８】
上記課題を解決する為の、本発明の第１の態様に係る媒体給送装置は、エンボス加工されたカードを、エンボス部が給送方向と交差する方向に沿った向きで載置可能な媒体載置部と、前記カードのエンボス加工面と接し、回転することにより前記カードを前記媒体載置部から送り出す給送ローラーと、を備え、前記給送ローラーには、前記エンボス部が入り込む凹部が、前記給送方向と交差する方向に沿って形成されていることを特徴とする。
【０００９】
本態様によれば、エンボス加工されたカードのエンボス加工面と接し、回転することにより前記カードを前記媒体載置部から送り出す給送ローラーには、前記エンボス部が入り込む凹部が、前記給送方向と交差する方向に沿って形成されているので、前記エンボス部が前記凹部に入り込むことで前記エンボス部が前記給送ローラーを通過する際の給送負荷増大を抑制でき、前記カードを適切に送り出すことができる。加えて、前記凹部が前記エンボス部を下流側に押し出す様に作用するので、前記カードをより確実に送り出すことができる。
【００１０】
本発明の第２の態様は、エンボス加工されたカードを、エンボス部を給送方向と交差する方向に沿った向きで載置可能な媒体載置部と、前記カードのエンボス加工面と接し、回転することにより前記カードを前記媒体載置部から送り出す給送ローラーと、を備え、前記給送ローラーには、前記エンボス部が引っ掛かる凹部が、前記給送方向と交差する方向に沿って形成されていることを特徴とする。
【００１１】
本態様によれば、エンボス加工されたカードのエンボス加工面と接し、回転することにより前記カードを前記媒体載置部から送り出す給送ローラーには、前記エンボス部が引っ掛かる凹部が、前記給送方向と交差する方向に沿って形成されているので、前記凹部が前記エンボス部を下流側に押し出す様に作用し、前記カードをより確実に送り出すことができる。
【００１２】
本発明の第３の態様は、第１のまたは第２の態様において、前記凹部は、前記給送ローラーの外周面において前記給送方向と交差する方向に貫通していることを特徴とする。  
本態様によれば、前記凹部は、前記給送ローラーの外周面において前記給送方向と交差する方向に貫通しているので、前記エンボス部の長さ（給送方向と交差する方向の長さ）に拘わらず、前記カードを適切に給送できる。
【００１３】
本発明の第４の態様は、第１から第３の態様のいずれかにおいて、前記凹部の深さは、前記エンボス部の高さ以上であることを特徴とする。  
本態様によれば、前記凹部の深さは、前記エンボス部の高さ以上であるので、前記エンボス部が前記凹部に確実に入り込み、前記エンボス部が前記給送ローラーを通過する際の給送負荷増大をより確実に抑制できる。
【００１４】
本発明の第５の態様は、第１から第４の態様のいずれかにおいて、前記凹部を複数備え、複数の前記凹部は、給送方向のサイズが異なる複数の前記エンボス部に対応して、給送方向のサイズが異なる凹部で構成されることを特徴とする。
【００１５】
本態様によれば、前記凹部を複数備え、複数の前記凹部は、給送方向のサイズが異なる複数の前記エンボス部に対応して、給送方向のサイズが異なる凹部で構成されるので、サイズが異なる前記エンボス部に対して適切な凹部が対応することで、より適切なカード給送を実現できる。
【００１６】
本発明の第６の態様に係る画像読取装置は、媒体を読み取る読み取り手段と、前記読み取り手段の側へ媒体を給送する、第１から第５の態様のいずれかに係る媒体給送装置とを備えたことを特徴とする。  
本態様によれば、画像読取装置において、上述した第１から第５の態様のいずれかと同様な作用効果を得ることができる。
【図面の簡単な説明】
【００１７】
【図１】本発明に係る画像読取装置における媒体の非給送状態の斜視図。
【図２】本発明に係る画像読取装置において、カバーが開き、排紙トレイが展開した状態を示す斜視図。
【図３】本発明に係る画像読取装置における媒体給送経路を示す側面図。
【図４】画像読取装置において上部ユニットを下部ユニットに対して回動させた状態を示す斜視図。
【図５】第１の実施例に係る給送ローラーを示す斜視図。
【図６】エンボス加工されたカードの平面図。
【図７】図６におけるＡ−Ａ線断面図。
【図８】第１の実施例に係る給送ローラーの側面図。
【図９】第１の実施例に係る給送ローラーによるエンボス加工されたカードの給送状態を示す側面図。
【図１０】図９におけるＢ−Ｂ線断面図。
【図１１】カードの給送状態におけるエンボス部と給送ローラーの凹部の関係を示す側面図。
【図１２】第１の実施例に係る給送ローラーの一の変更例を示す側面図。
【図１３】第２の実施例に係る給送ローラーによるエンボス加工されたカードの給送状態を示す側面図。
【発明を実施するための形態】
【００１８】
以下、本発明の実施の形態を図面に基づいて説明する。尚、各実施例において同一の構成については、同一の符号を付し、最初の実施例においてのみ説明し、以後の実施例においてはその構成の説明を省略する。
【００１９】
図１は本発明に係る画像読取装置における媒体の非給送状態の斜視図であり、図２は本発明に係る画像読取装置において、カバーが開き、排紙トレイが展開した状態を示す斜視図であり、図３は本発明に係る画像読取装置における媒体給送経路を示す側面図であり、図４は画像読取装置において上部ユニットを下部ユニットに対して回動させた状態を示す斜視図であり、図５は第１の実施例に係る給送ローラーを示す斜視図であり、図６はエンボス加工されたカードの平面図であり、図７は図６におけるＡ−Ａ線断面図である。
【００２０】
また、図８は第１の実施例に係る給送ローラーの側面図であり、図９は第１の実施例に係る給送ローラーによるエンボス加工されたカードの給送状態を示す側面図であり、図１０は図９におけるＢ−Ｂ線断面図であり、図１１はカードの給送状態におけるエンボス部と給送ローラーの凹部の関係を示す側面図であり、図１２は第１の実施例に係る給送ローラーの一の変更例を示す側面図であり、図１３は第２の実施例に係る給送ローラーによるエンボス加工されたカードの給送状態を示す側面図である。
【００２１】
また、各図において示すＸ−Ｙ−Ｚ座標系はＸ方向が装置幅方向であるとともに媒体幅方向、Ｙ方向が画像読取装置における媒体搬送方向、Ｚ方向がＹ方向と直交する方向であり、概ね搬送される媒体の面と直交する方向を示している。尚、各図において−Ｙ方向側を装置前面側とし、＋Ｙ方向側を装置背面側とする。
【００２２】
■■■第１の実施例■■■■
＜＜＜画像読取装置について＞＞＞
図１、図２及び図４を参照するに、「画像読取装置」としてのスキャナー１０は、下部ユニット１２と、上部ユニット１４と、カバー部１６と、排出トレイ１８とを備えている。本実施例において、上部ユニット１４は下部ユニット１２に対して媒体搬送方向下流側を回動支点として回動可能に下部ユニット１２に取り付けられている（図４参照）。
【００２３】
また、下部ユニット１２の背面側の上部には、カバー部１６が下部ユニット１２に対して回動可能に取り付けられている。カバー部１６は、図１に示すように上部ユニット１４の上部及び給送口２０（図２参照）を覆う非給送状態と、図１の非給送状態から図２に示すように装置背面側に回動し、給送口２０を開放する給送可能状態とを取り得る。そして、カバー部１６は、図２に示すように給送可能状態となると、カバー部１６の裏面は、媒体Ｐの媒体載置面１６ａとして機能する。尚、本実施例において、媒体Ｐには、一例として各種サイズの普通紙や、厚紙、写真用紙だけでなく、プラスチック製のカードも含まれている。
【００２４】
また、下部ユニット１２の装置前面側には媒体Ｐを排出する排出口２４が設けられている。また、下部ユニット１２は、排出口２４から装置前面側に向けて引き出し可能な排出トレイ１８を備えている。排出トレイ１８は、下部ユニット１２の底部に収納された状態（図１参照）と、装置前面側に引き出された状態（図２参照）とを取り得る。また、本実施形態において排出トレイ１８は複数のトレイ部材を連結して構成されており、排出される媒体Ｐの長さに応じて、排出口２４からの引き出し長さを調整可能である。
【００２５】
＜スキャナーにおける媒体給送経路について＞
次に、主として図３を参照して、スキャナー１０における媒体給送経路２６について説明する。また、図３では下部ユニット１２及び上部ユニット１４は、その筐体の外郭のみを仮想線で示している。尚、図３において符号Ｐが付された太い実線は、スキャナー１０内において媒体給送経路２６に沿って給送される媒体の案内経路を示している。
【００２６】
本実施例において、給送口２０にセットされる媒体Ｐは、下部ユニット１２に対して装置背面側に回動した姿勢を取るカバー部１６の裏面、すなわち、「媒体載置部」としての媒体載置面１６ａにより支持されて載置される。給送口２０には、複数枚の媒体Ｐをセットすることができる。
【００２７】
本実施例において、媒体載置面１６ａには、一対のガイド部１７が設けられている。ガイド部１７は、装置幅方向において互いに接近する方向、または離間する方向に移動可能に構成されている。そして、媒体載置面１６ａに媒体Ｐがセットされると、ガイド部１７を媒体Ｐの装置幅方向における側部と接触する位置まで移動させて、媒体Ｐの側部を保持させる。これにより、ガイド部１７は媒体Ｐの給送を案内する。
【００２８】
媒体載置面１６ａに載置された媒体Ｐは、最も下に載置された媒体Ｐが、不図示の駆動源であるモーターにより回転駆動される給送ローラー２８により給送方向下流側に給送される。給送ローラー２８の外周面は、高摩擦材料（例えば、ゴムなどのエラストマ等）により構成されている。尚、本実施例において、媒体載置面１６ａと給送ローラー２８は媒体給送装置２９を構成する。
【００２９】
また、図４及び図５に示すように、本実施例における給送ローラー２８は、装置幅方向（Ｘ方向）において間隔をおいて複数設けられている。具体的には、下部ユニット１２において装置幅方向に間隔をおいて２つの給送ローラー２８が設けられている。そして、各給送ローラー２８には、少なくとも１つの凹部２８ａが設けられている。尚、図３及び図４において給送ローラー２８における凹部２８ａの図示は省略している。
【００３０】
本実施例において凹部２８ａは装置幅方向すなわち給送ローラー２８の軸線方向に延びている。本実施例では、凹部２８ａは給送ローラー２８の厚み方向、すなわち軸線方向の全長に渡って設けられている。各給送ローラー２８に設けられた凹部２８ａは、給送ローラー２８の回転に対して同じ位相となるように設定されている。尚凹部２８ａの詳細については後述する。
【００３１】
再度、図３を参照するに符号Ｇは、媒体載置面１６ａに載置（セット）された媒体Ｐの束を示している。媒体束Ｇは、給送開始前ではその先端が不図示のストッパーにより給送待機位置（図３の位置）に保持され、給送ローラー２８と後述する分離ローラー３０との間への入り込みが規制されている。
【００３２】
また、給送ローラー２８と対向する位置には分離ローラー３０が設けられている。分離ローラー３０は、不図示の付勢手段によって給送ローラー２８に対して付勢された状態に設けられている。本実施例において分離ローラー３０の外周面は、給送ローラー２８と同様に高摩擦材料（例えば、ゴムなどのエラストマ等）により構成されている。また、分離ローラー３０も、各給送ローラー２８に対応して装置幅方向に間隔をおいて２つ設けられている。
【００３３】
さらに、本実施例において分離ローラー３０には、トルクリミッタ３２が設けられている。分離ローラー３０は、トルクリミッタ３２を介して、不図示のトルク付与手段或いはモーター等の駆動源から原稿を下流側に送る回転方向（図３において時計回り方向）とは反対方向（図３において反時計回り方向）の駆動トルクを受ける様に構成されている。
【００３４】
すなわち、分離ローラー３０は、給送ローラー２８と直接接触している状態では、給送ローラー２８から受ける回転トルクがトルクリミッタ３２のリミットトルクを超える為、給送ローラー２８に従動して回転する（図３において時計回り方向）。
【００３５】
そして媒体Ｐの給送が開始され、給送ローラー２８と分離ローラー３０との間に複数枚の媒体Ｐが入り込むと、分離ローラー３０は給送ローラー２８から回転トルクを受けなくなり、給送ローラー２８に従動した回転が止まる。これにより給送されるべき最下位の媒体Ｐを除く上位の媒体Ｐ（重送を防止すべき媒体Ｐ）は、下流側へ進む為の搬送力を受けられず、その先端が分離ローラー３０に当接した状態のまま下流側に進むことができない。したがって、媒体Ｐの重送が防止される。尚、給送されるべき最下位の媒体Ｐは、給送ローラー２８と直接接触している為、給送ローラー２８から受ける搬送力によって下流側に進む。
【００３６】
続いて、給送ローラー２８及び分離ローラー３０の下流側には、媒体Ｐの重送を検出する重送検出センサー３４が配置されている。本実施例において重送検出センサー３４は、スピーカー部とマイク部を備える超音波センサーとして構成されている。また、重送検出センサー３４は、スピーカー部から媒体給送経路２６を通る媒体Ｐに向けて超音波を発振し、媒体Ｐからの反射音をマイク部で検出するように構成されている。本実施例において重送検出センサー３４は、反射音の周波数により媒体Ｐの重送を検知するだけでなく、厚紙等の紙種も検出可能に構成されている。
【００３７】
また、媒体給送経路２６において重送検出センサー３４の下流側には、搬送ローラー対３６が設けられている。搬送ローラー対３６は搬送駆動ローラー３６ａと、搬送駆動ローラー３６ａに対して従動回転する搬送従動ローラー３６ｂを備えている。本実施例において、搬送駆動ローラー３６ａは、不図示の駆動源により回転駆動させられる。
【００３８】
搬送ローラー対３６の下流側には、「読み取り手段」としての画像読取部３８が設けられている。ここで、画像読取部３８は、媒体給送経路２６に沿って搬送される媒体Ｐの上面と対向するように上部ユニット１４に設けられた上部読み取りユニット４０と、媒体給送経路２６に沿って搬送される媒体Ｐの下面と対向するように下部ユニット１２に設けられた下部読み取りユニット４２とを備えている。本実施例において、上部読み取りユニット４０及び下部読み取りユニット４２は読み取りユニットとして構成され、一例として密着型イメージセンサーモジュール（ＣＩＳＭ）として構成されている。
【００３９】
媒体Ｐは、画像読取部３８において媒体Ｐの表面及び裏面の少なくとも一方の面の画像を読み取られた後、画像読取部３８の搬送方向下流側に位置する排出ローラー対４４にニップされて排出口２４から排出される。
【００４０】
また、本実施例において排出ローラー対４４は排出駆動ローラー４４ａと、排出駆動ローラー４４ａに対して従動回転する排出従動ローラー４４ｂを備えている。本実施例において、排出駆動ローラー４４ａは、不図示の駆動源により回転駆動させられる。尚、搬送駆動ローラー３６ａと排出駆動ローラー４４ａとは、共通の駆動源により回転駆動させられてもよく、別々の駆動源により別個に回転駆動させられてもよい。
【００４１】
また、本実施例において下部ユニット１２内には制御部４６が設けられている。本実施例において制御部４６は、複数の電子部品を備える電気回路として構成されている。制御部４６は、上部読み取りユニット４０、下部読み取りユニット４２及び給送ローラー２８、搬送駆動ローラー３６ａ及び排出駆動ローラー４４ａを回転駆動させる駆動源（駆動モーター等）を制御している。さらに、制御部４６は、重送検出センサー３４における検出信号を受信し、スキャナー１０における媒体Ｐの搬送を制御する。
【００４２】
また、本実施例において制御部４６は、スキャナー１０における媒体Ｐの搬送及び画像読取動作を制御するように構成されている。また、制御部４６は外部（ＰＣなど）からの指示でスキャナー１０における原稿読取動作の実行に必要な動作を制御してもよい。
【００４３】
＜＜＜エンボス加工されたカードについて＞＞＞
実施例の説明を行う前に、媒体Ｐの一例であるプラスチック製のカード４８について図６及び図７を参照して説明する。尚、図６及び図７における座標系は、カード４８の搬送状態（図９及び図１０参照）の座標系を示している。本実施例におけるプラスチック製のカード４８は、「エンボス加工面」としての表面４８ａにエンボス加工（凸加工）がなされている。本実施例におけるエンボス加工されたカード４８は、ＩＳＯ／ＩＥＣ７８１１−１及びＪＩＳＸ６３０２−１の規定に基づいて形成されている。
【００４４】
図６を参照するに、カード４８においてカード幅Ｗ１は８５．９０ｍｍから８５．４７ｍｍの範囲で形成され、カード高さＬは５４．１８ｍｍから５３．９２ｍｍの範囲で形成されている。そして、カード４８の表面４８ａには、エンボス加工が成される領域である第１の領域Ｓ１と、第２の領域Ｓ２とが設定されている。
【００４５】
第１の領域Ｓ１は、ＩＳＯ／ＩＥＣ７８１１−１及びＪＩＳＸ６３０２−１の規定により識別番号領域として設定されている。そして、第２の領域Ｓ２は、ＩＳＯ／ＩＥＣ７８１１−１及びＪＩＳＸ６３０２−１の規定により氏名及び住所領域として設定されている。
【００４６】
第１の領域Ｓ１（識別番号領域）は、１行分のエンボス加工の印字領域として設定されており、その印字領域のカード高さＬ方向における最大の縦幅、すなわちカード高さＬ方向におけるエンボス文字の最大の縦幅Ｌ１は４．３２ｍｍに設定されている。本実施例では、第１の領域Ｓ１は一行のエンボス文字で構成される。この一行のエンボス文字を、図６では符号４９ａで示し、以下ではエンボス部４９ａと称する。図６の例では、エンボス部４９ａの縦幅はＬ１となる。
【００４７】
第２の領域Ｓ２（氏名及び住所領域）は、４行分のエンボス加工の印字領域として設定されている。その印字領域のカード高さＬ方向における最大の縦幅Ｌ３は１４．５３ｍｍに設定されている。  
本実施例では、第２の領域Ｓ２は四行のエンボス文字で構成される。各行のエンボス文字を、図６では符号４９ｂ、４９ｃ、４９ｄ、４９ｅで示し、以下ではそれぞれエンボス部４９ｂ、４９ｃ、４９ｄ、４９ｅと称する。本実施例では、エンボス部４９ｂ〜４９ｅの縦幅は全て同じであり、Ｌ２となっている。  
尚、以降ではエンボス部４９ａ〜４９ｅを特に区別する必要の無い場合には「各エンボス部」と称することにする。
【００４８】
そして、図７を参照するに、エンボスの高さＨ、すなわちカード４８のエンボスのない表面４８ａからエンボスの最高点まで測った文字の凸部の高さは、エンボス部４９ａにおいて０．４０ｍｍから０．４８ｍｍの範囲で、エンボス部４９ｂ〜４９ｅにおいて０．３６ｍｍから０．４６ｍｍの範囲で設定されている。尚、図７では、エンボス部４９ｂ〜４９ｅの図示を省略している。
【００４９】
＜＜＜給送ローラー２８について＞＞＞
次いで、図８ないし図１０を参照して、給送ローラー２８及びカード４８の給送について説明する。図８に示すように、給送ローラー２８の外周面には、少なくとも１箇所の凹部２８ａが形成されている。
【００５０】
本実施例では、給送ローラー２８の外周面には、周方向において１箇所の凹部２８ａが設けられている。本実施例において、凹部２８ａは円周方向の寸法を幅Ｗ２とし、半径方向の寸法を深さＤとする。本実施例において、凹部２８ａの幅Ｗ２は、少なくとも図６のエンボス部４９ａが入り込む寸法に設定されている。より具体的には、幅Ｗ２は、少なくともエンボス部４９ａの縦幅Ｌ１の一例である４．３２ｍｍ以上に設定されている。そして、幅Ｗ２は、一例として、凹部２８ａの加工誤差や凹部２８ａ内への第１の領域Ｓ１の円滑な入り込みのため、縦幅Ｌ１よりも大きい４．５ｍｍから５．０ｍｍの範囲内に設定されるのが望ましい。
【００５１】
また、本実施例において、図６のエンボス部４９ａが凹部２８ａ内に完全に入り込むように、凹部２８ａの深さＤは、各エンボスの高さＨ（０．３６ｍｍ〜０．４８）に対応して０．４８ｍｍ以上に設定されている。一例として、本実施例において凹部２８ａの深さＤは、０．５ｍｍ〜０．６ｍｍに設定されている。尚、エンボス高さＨが各エンボス部で異なる場合には、凹部２８ａの深さは、最も高さの高いエンボス部に対応させるのが好ましい。
【００５２】
＜＜＜カードの給送について＞＞＞
次いで、図９及び図１０を参照してカード４８の給送について説明する。尚、図９及び図１０においては説明の便宜上、図６のエンボス部４９ａのみを示し、その他のエンボス部の図示は省略している。本実施例において、図１０に示すようにカード４８は表面４８ａ、すなわちエンボス加工された面を媒体載置面１６ａと対向するように媒体載置面１６ａにセットする。そして、ガイド部１７を装置幅方向においてカード４８の側部に移動させて、カード４８の側部を保持させる。また、カード４８が媒体載置面１６ａにセットされた状態では、図６の座標系でも示したように、各エンボス部は、媒体Ｐの給送方向と交差する方向である装置幅方向に沿って延びている。
【００５３】
そして、制御部４６は、ドライバー情報、または外部機器から入力される媒体Ｐの情報、或いは媒体載置面１６ａにセットされた媒体の種別を検出する検出手段を備えている場合にはその検出手段の検出情報に基づいて、セットされた媒体Ｐがカード４８であると判断する。そして、制御部４６は給送ローラー２８を回転駆動させる。給送ローラー２８が回転すると、図９に示すように媒体給送方向におけるカード４８の先端側が、給送ローラー２８から給送力を受けて、給送ローラー２８と分離ローラー３０との間に送り込まれる。
【００５４】
そして、カード４８のエンボス部４９ａが給送ローラー２８と分離ローラー３０とのニップ位置（以下「分離ニップ位置」と略称する）の直前まで送られる。しかし、エンボス部４９ａが給送ローラー２８のローラー周面（凹部２８ａが形成されていない領域）と接する状態では、エンボス部４９ａが分離ニップ位置を通過する為のカード搬送力が不足し、カード４８のエンボス部４９ａは給送ローラー２８を乗り越えられずに、給送ローラー２８と分離ローラー３０との間で一時的に停止する場合がある。
【００５５】
そして、カード４８の給送方向における一時的な停止に対して、給送ローラー２８はカード４８に対して図９における反時計回り方向に回転を継続する。そして、この回転により、凹部２８ａがカード４８のエンボス部４９ａと対向する位置まで移動する。その結果、カード４８のエンボス部４９ａが凹部２８ａ内に入り込む。即ち、カード４８のエンボス部４９ａが凹部２８ａ内に逃げる。
【００５６】
これによりエンボス部４９ａが分離ニップ位置を通過する為に必要なカード搬送力の増大が抑えられるとともに、凹部２８ａの縁が給送ローラー２８の回転に伴ってエンボス部４９ａを蹴り出す様に作用する。その結果、カード４８を給送方向下流側へ給送することができる。
【００５７】
尚、カード４８のエンボス部４９ａが分離ニップ位置の直前まで送られた際、凹部２８ａの位置がちょうどエンボス部４９ａに一致する場合がある。この場合、カード４８はエンボス部４９ａが分離ニップ位置の直前で一時停止することなく、エンボス部４９ａが凹部２８ａ内に入り込み、給送ローラー２８により円滑に給送方向下流側に給送される。
【００５８】
本実施例では、カード４８が分離ニップ位置を通過する際、エンボス部４９ａを凹部２８ａ内に逃がす構成としたので、大きな搬送力を得る為に分離ローラー３０を付勢する付勢手段（不図示）の付勢力を大きくする必要がない。その結果、給送ローラー２８を回転させる駆動源における消費電力を抑制できるとともに、用紙を給送する際に重送の発生を抑制できる。
【００５９】
また、図１１に示すようにカード４８のエンボス部４９ａに形成されたエンボスが凹部２８ａ内に入り込むと、給送ローラー２８の回転に伴って、凹部２８ａの給送方向上流側の壁２８ｂがカード４８のエンボス部４９ａの給送方向上流側の端部と接触する。つまり、カード４８のエンボス部４９ａが凹部２８ａに引っ掛かった状態となる。
【００６０】
そして、給送ローラー２８の回転により、壁２８ｂがカード４８のエンボス部４９ａを給送方向下流側に押圧する。これにより、凹部２８ａは、エンボス部４９ａを給送方向下流側に押し出すように作用する。その結果、給送ローラー２８は、カード４８を確実に給送方向下流側に給送することができる。すなわち、分離ローラー３０の給送ローラー２８に対する付勢力を増大させずに、カード４８、すなわちエンボス加工がされたプラスチックカードのノンフィードを防止、または抑制できる。
【００６１】
尚、エンボス部４９ａが分離ニップ位置を通過した後、次のエンボス部であるエンボス部４９ｂが分離ニップ位置に到達するが、上記と同様にエンボス部４９ｂが凹部２８ａに入り込むので、カード４８は引き続き下流側に進む。以降、エンボス部４９ｃ、４９ｄ、４９ｅのこれらについても同様である。
【００６２】
尚、制御部４６は、ドライバー情報、または外部機器から入力される媒体Ｐの情報に基づいて、セットされた媒体Ｐがカード４８であると判断した際、制御の一例として、カード４８を給送する際の給送ローラー２８の回転速度を、エンボス加工されていない媒体、例えば普通紙等の用紙を給送する際の給送ローラー２８の回転速度よりも遅くするように制御してもよい。
【００６３】
制御部４６が給送ローラー２８の回転速度をこのように制御することにより、各エンボス部が確実に凹部２８ａと係わり合うことができ、カード４８を適切に給送することができる。
【００６４】
＜＜＜第１の実施例の変更例＞＞＞
（１）本実施例において凹部２８ａの幅Ｗ２は、エンボス部４９ａの縦幅Ｌ１に対応する寸法で形成されている。しかしこの構成に代えて、複数行のエンボス文字がまとまって入り込むような寸法、例えば、図６に示した第２の領域Ｓ２の縦幅Ｌ３の一例である１４．５３ｍｍ以上の寸法に設定してもよい。
（２）また、エンボス部の縦幅寸法が規格により異なることがあるので、そのいずれかに対応する様に凹部２８ａの幅Ｗ２を設定しても良い。図６に示した例では、エンボス部４９ａの縦幅Ｌ１と、エンボス部４９ｂ〜４９ｅの縦幅Ｌ２とが異なっている。この様な場合、凹部２８ａの幅Ｗ２は、いずれかのエンボス部の縦幅に対応させても良い。  
但し、凹部２８ａの幅Ｗ２を、縦幅寸法が最も大きいエンボス文字に対応させることで（図６の例ではエンボス部４９ａの縦幅Ｌ１）、全てのエンボス文字を凹部２８ａに入り込ませることができる。或いは、凹部２８ａの幅Ｗ２を、カード高さＬ方向の寸法が最も大きいエンボス領域（図６の例では第２の領域Ｓ２の縦幅Ｌ３）に合わせることで、全てのエンボス領域を凹部２８ａに入り込ませることができる。
（３）また、本実施例において凹部２８ａは、給送ローラー２８の外周面に１箇所設ける構成としたが、この構成に代えて、図１２に示すように周方向に適宜間隔を設けて複数の凹部２８ａを設ける構成としてもよい。また、各凹部２８ａの周方向における幅Ｗ２は同じ寸法であってもよいし、異なる寸法としてもよい。  
異なる寸法とする場合は、縦幅寸法が異なるエンボス文字のそれぞれに対応する様に各凹部の幅を設定しても良い。また、縦幅寸法が異なるエンボス領域のそれぞれに対応する様に各凹部の幅を設定しても良い。つまり、複数の凹部の数や各凹部の幅については、エンボスの行数やエンボスの縦幅に応じて設定することができる。更に、各凹部の形成間隔についても、エンボス文字やエンボス領域の形成間隔に応じて設定することができる。例えば、図６の間隔Ｌ４はその一例である。
【００６５】
■■■第２の実施例■■■■
次いで、図１３を参照して第２の実施例について説明する。本実施例では、給送ローラー５０の外周面に少なくとも１つの切り込み５０ａを設けた点で第１の実施例と異なる。尚、図１３においても、説明の便宜上図６のエンボス部４９ａのみを示し、他のエンボス部の図示は省略している。
【００６６】
本実施例において、媒体給送装置５２は、媒体載置面１６ａと給送ローラー５０とを備えている。本実施例における給送ローラー５０の外周面は可塑性を有する柔らかい材質で構成されている。より具体的には、当該柔らかい材質は分離ローラー３０によりカード４８を給送ローラー５０の外周面に押圧した際、エンボス部４９ａが給送ローラー５０の外周面の一部を押し込んで沈み込む程度の柔らかさを有している。給送ローラー５０の外周面を構成する柔らかい材質としては、一例として、ゴム、エストラマ、発泡ウレタン、スポンジ等がある。
【００６７】
図１３に示すように、第２実施例における給送ローラー５０の外周面には、周方向に適宜間隔をおいて少なくとも１つ以上の切り込み５０ａが設けられている。切り込み５０ａは、給送ローラー５０の軸線方向、すなわち装置幅方向に沿って給送ローラー５０の装置幅方向の全長にわたって延設されている。
【００６８】
本実施例において、カード４８が媒体載置面１６ａから給送ローラー５０により給送ローラー５０と分離ローラー３０とのニップ点近傍まで搬送された際、カード４８のエンボス部４９ａにより、給送ローラー５０の外周面におけるエンボス部４９ａと当接する部分が凹む。
【００６９】
そして、給送ローラー５０が回転を続けると、エンボス部４９ａの給送方向上流側端部と切り込み５０ａとが接触する。図１３に示すように、この状態では、給送ローラー５０の外周面における切り込み５０ａの回転方向下流側には、エンボス部４９ａにより押圧されて当接した部位が凹み、凹部５０ｂが形成されている。
【００７０】
そして、給送ローラー５０の回転に伴って、エンボス部４９ａの給送方向上流側端部を切り込み５０ａが押圧する。これにより、切り込み５０ａ及び凹部５０ｂは、エンボス部４９ａを給送方向下流側に押し出すように作用する。その結果、給送ローラー５０は、カード４８を確実に給送方向下流側に給送することができる。
【００７１】
＜＜＜第１の実施例及び第２の実施例の変更例＞＞＞
第１実施例及び第２の実施例では、媒体給送装置２９、５２を画像読取装置としてのスキャナー１０に適用する構成としたが、この構成に代えて、インクを用紙に向けて吐出する記録手段としての記録ヘッドを備える記録装置、例えばインクジェットプリンター等に適用してもよい。
【００７２】
上記説明をまとめると、媒体給送装置２９、５２は、エンボス加工されたカード４８を、各エンボス部が給送方向と交差する方向である装置幅方向に沿った向きで載置可能な媒体載置面１６ａと、カード４８のエンボス加工面である表面４８ａと接し、回転することによりカード４８を媒体載置面１６ａから送り出す給送ローラー２８、５０と、を備え、給送ローラー２８、５０には、各エンボス部が入り込む凹部２８ａ、５０ｂが、給送方向と交差する方向である装置幅方向に沿って形成されている。
【００７３】
上記構成によれば、各エンボス部が凹部２８ａ、５０ｂに入り込むことで各エンボス部が分離ニップ位置を通過する際の給送負荷増大を抑制でき、カード４８を適切に送り出すことができる。加えて、凹部２８ａ、５０ｂが各エンボス部を下流側に押し出す様に作用するので、カード４８をより確実に送り出すことができる。
【００７４】
媒体給送装置２９、５２は、エンボス加工されたカード４８を、各エンボス部を給送方向と交差する方向である装置幅に沿った向きで載置可能な媒体載置面１６ａと、カード４８のエンボス加工面である表面４８ａと接し、回転することによりカード４８を媒体載置面１６ａから送り出す給送ローラー２８、５０と、を備え、給送ローラー２８、５０には、各エンボス部が引っ掛かる凹部２８ａ、５０ｂが、給送方向と交差する方向である装置幅方向に沿って形成されている。この構成によれば、凹部２８ａ、５０ｂが各エンボス部を下流側に押し出す様に作用し、カード４８をより確実に送り出すことができる。
【００７５】
凹部２８ａは、給送ローラー２８の外周面において給送方向と交差する方向である装置幅方向に貫通している。この構成によれば、凹部２８ａは、給送ローラー２８の外周面において給送方向と交差する方向である装置幅方向に貫通しているので、各エンボス部の長さ（給送方向と交差する方向である装置幅方向の長さ）に拘わらず、カード４８を適切に給送できる。
【００７６】
凹部２８ａの深さＤは、各エンボス部の高さ以上であるので、各エンボス部が凹部２８ａに確実に入り込み、各エンボス部が給送ローラー２８を通過する際の給送負荷増大をより確実に抑制できる。
【００７７】
給送ローラー２８は凹部２８ａを複数備え、複数の凹部２８ａは、給送方向のサイズが異なる複数のエンボス部に対応して、給送方向のサイズが異なる様に設定される。この構成によれば、サイズが異なるエンボス部に対して適切な凹部２８ａ、２８ｃが対応することで、より適切なカード給送を実現できる。
【００７８】
スキャナー１０は、媒体Ｐを読み取る画像読取部３８と、画像読取部３８の側へ媒体を給送する媒体給送装置２９、５２とを備えている。
【００７９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００８０】
１０…スキャナー、１２…下部ユニット、１４…上部ユニット、１６…カバー部、１６ａ…媒体載置面、１７…ガイド部、１８…排出トレイ、２０…給送口、２４…排出口、２６…媒体給送経路、２８…給送ローラー、２８ａ、２８ｃ、５０ｂ…凹部、２８ｂ…壁、２９、５２…媒体給送装置、３０…分離ローラー、３２…トルクリミッタ、３４…重送検出センサー、３６…搬送ローラー対、３６ａ…搬送駆動ローラー、３６ｂ…搬送従動ローラー、３８…画像読取部、４０…上部読み取りユニット、４２…下部読み取りユニット、４４…排出ローラー対、４４ａ…排出駆動ローラー、４４ｂ…排出従動ローラー、４６…制御部、４８…カード、４８ａ…表面、４９ａ、４９ｂ、４９ｃ、４９ｄ、４９ｅ…エンボス部、５０…給送ローラー、５０ａ…切り込み、Ｄ…深さ、Ｇ…媒体束、Ｈ…エンボスの高さ、Ｌ…カード高さ、Ｐ…媒体、Ｓ１…第１の領域、Ｓ２…第２の領域、Ｗ１…カード幅、Ｗ２…幅
【図１】
2017165574.tif 000003
【図２】
2017165574.tif 000004
【図３】
2017165574.tif 000005
【図４】
2017165574.tif 000006
【図５】
2017165574.tif 000007
【図６】
2017165574.tif 000008
【図７】
2017165574.tif 000009
【図８】
2017165574.tif 000010
【図９】
2017165574.tif 000011
【図１０】
2017165574.tif 000012
【図１１】
2017165574.tif 000013
【図１２】
2017165574.tif 000014
【図１３】
2017165574.tif 000015